(57)【要約】【課題】電源が投入されてから遮断されるまでの間隔が短い場合であっても、電源投入回数等の積算情報を適切に記録することのできる暖房機ユニットを得ること。【解決手段】暖房機本体１と、リモコン１２と、制御部３，１４と、を備える暖房機ユニット５０であって、暖房機本体は、商用電源１８の投入回数を電源投入時に積算する電源投入回数積算手段１０と、データの書き込み、消去、記憶が可能な本体側ＥＥＰＲＯＭ２と、を有し、リモコンは、リモコン側ＥＥＰＲＯＭ１３を有し、制御部は、本体側ＥＥＰＲＯＭに記憶された電源投入回数積算値とリモコン側ＥＥＰＲＯＭに記憶された電源投入回数積算値とを比較し、両電源投入回数積算値に差異がある場合には、小さい値を示す電源投入回数積算値を大きい値を示す電源投入回数積算値に書き換える。【選択図】      図１
2010117070.tif 000002
【特許請求の範囲】
【請求項１】
暖房機本体と、該暖房機本体と有線で接続されたリモコンと、前記暖房機本体及び前記リモコンを制御する制御部と、を備え、前記暖房機本体に商用電源を入力し、前記リモコンからの操作指令に従って動作する暖房機ユニットであって、
前記暖房機本体は、室内に送風するための送風機と、該送風機を駆動する送風機駆動部と、前記送風機に送風される空気を暖めるためのヒータと、該ヒータを駆動するヒータ駆動部と、前記商用電源の投入回数を電源投入時に積算する電源投入回数積算手段と、データの記憶が可能な本体側不揮発性メモリを有し、
前記リモコンは、データの記憶が可能なリモコン側不揮発性メモリと、を有し、
前記制御部は、前記電源投入回数積算手段が積算した電源投入回数積算値を電源投入時に前記本体側不揮発性メモリと前記リモコン側不揮発性メモリに記憶させ、前記本体側不揮発性メモリに記憶された電源投入回数積算値と前記リモコン側不揮発性メモリに記憶された電源投入回数積算値とを比較し、両電源投入回数積算値に差異がある場合には、小さい値を示す電源投入回数積算値を大きい値を示す電源投入回数積算値に書き換えるよう前記両不揮発性メモリのうちの一方を更新するとともに、前記電源投入回数積算値が規定値に達した場合に前記リモコンに警告表示させることを特徴とする暖房機ユニット。
【請求項２】
前記暖房機本体は、前記暖房機本体への通電時間を前記商用電源の投入時から積算する機器通電時間積算手段をさらに有し、
前記制御部は、前記機器通電時間積算手段が積算した機器通電時間積算値が規定値に達した場合に前記リモコンに警告表示させることを特徴とする請求項１に記載の暖房機ユニット。
【請求項３】
前記暖房機本体は、前記ヒータを駆動させるために通電された時間を積算するヒータ通電時間積算手段と、をさらに有し、
前記制御部は、前記ヒータ通電時間積算手段が積算したヒータ通電時間積算値が規定値に達した場合に前記リモコンに警告表示させることを特徴とする請求項１または２に記載の暖房機ユニット。
【請求項４】
前記暖房機本体は、前記ヒータの動作回数を積算するヒータ動作回数積算手段をさらに有し、
前記制御部は、前記ヒータ動作回数積算手段が積算したヒータ動作回数積算値が規定値に達した場合に前記リモコンに警告表示させることを特徴とする請求項１、２または３に記載の暖房機ユニット。
【請求項５】
前記リモコンは、積算データリセット手段をさらに有することを特徴とする請求項１〜４のいずれか１つに記載の暖房機ユニット。
【請求項６】
前記リモコンは、前記本体側不揮発性メモリ及び前記リモコン側不揮発性メモリに所望のデータを任意に書き込み可能とするデータ入力手段をさらに有することを特徴とする請求項１〜５のいずれか１つに記載の暖房機ユニット。
【発明の詳細な説明】
【技術分野】
【０００１】
この発明は、暖房機ユニットに係り、特にリモコンと暖房機本体が有線で接続され、リモコンと暖房機本体間の通信により双方の基板に格納されているデータの比較、更新を行う暖房機ユニットに関するものである。
【背景技術】
【０００２】
従来、暖房機本体に有線で接続されたリモコンに対して行われた操作に基づいて、暖房機本体による暖房運転が行われる暖房機ユニットが知られている。暖房機ユニットでは、電源投入回数の積算値等のデータを記憶しておき、これらのデータを警告表示やメンテナンス時に用いる。これらのデータを機器本体またはリモコンの一方にのみ記憶させていたのでは、例えば、積算値等を記憶する機器本体側の基板が交換された際に、記憶していたデータまでも喪失してしまい、警告表示やメンテナンスに不都合が生じる場合がある。
【０００３】
そこで、機器本体とリモコンの双方の基板に記憶手段を持たせ、通電時間などのデータを機器本体側の記憶手段に書き込むと共に、リモコンにも転送することでリモコン側の記憶手段にもデータを記憶させるとともに、機器本体側の基板が交換された時にリモコンに記憶してある内容を機器本体側の記憶手段に転送することで、一方の基板が交換された時のデータの喪失を防ぐ技術が、例えば特許文献１に開示されている。
【０００４】
【特許文献１】特開平８−４７０６３号公報
【発明の開示】
【発明が解決しようとする課題】
【０００５】
しかし、特許文献１に開示の技術では、電源投入してから１０時間経過後に記憶手段であるＥＥＰＲＯＭのデータを更新、保存するため、１０時間未満に元電源を遮断するような使い方をした場合、電源投入回数や負荷開閉回数を適切に記録できないという問題がある。
【０００６】
本発明は、上記に鑑みてなされたものであって、電源が投入されてから遮断されるまでの間隔が短い場合であっても、電源投入回数等の積算情報を適切に記録することのできる暖房機ユニットを得ることを目的としている。
【課題を解決するための手段】
【０００７】
上記課題を解決するために本発明の暖房機ユニットは、暖房機本体と、暖房機本体と有線で接続されたリモコンと、暖房機本体及びリモコンを制御する制御部と、を備え、暖房機本体に商用電源を入力し、リモコンからの操作指令に従って動作する暖房機ユニットであって、暖房機本体は、室内に送風するための送風機と、送風機を駆動する送風機駆動部と、送風機に送風される空気を暖めるためのヒータと、ヒータを駆動するヒータ駆動部と、商用電源の投入回数を電源投入時に積算する電源投入回数積算手段と、データの記憶が可能な本体側不揮発性メモリと、を有し、リモコンは、データの記憶が可能なリモコン側不揮発性メモリを有し、制御部は、電源投入回数積算手段が積算した電源投入回数積算値を電源投入時に本体側不揮発性メモリとリモコン側不揮発性メモリに記憶させ、本体側不揮発性メモリに記憶された電源投入回数積算値とリモコン側不揮発性メモリに記憶された電源投入回数積算値とを比較し、両電源投入回数積算値に差異がある場合には、小さい値を示す電源投入回数積算値を大きい値を示す電源投入回数積算値に書き換えるよう前記両不揮発性メモリのうちの一方を更新するとともに、電源投入回数積算値が所定値に達した場合にリモコンに警告表示させる。
【発明の効果】
【０００８】
本発明によれば、暖房機本体への電源の投入時に電源投入回数積算手段が電源投入回数を積算されて不揮発性メモリに記憶されるので、電源の投入後すぐに電源が遮断された場合であっても積算情報としての電源投入回数を適切に記録することができるという効果を奏する。
【発明を実施するための最良の形態】
【０００９】
実施の形態１．
以下に、図面を用いて本発明の実施の形態１に係る暖房機ユニットについて説明する。なお、本発明は以下の記述に限定されるものではなく、本発明の要旨を逸脱しない範囲において適宜変更可能である。
【００１０】
図１は、本発明の実施の形態１に係る暖房機ユニット５０の概略構成を示すブロック図である。暖房機本体１に商用電源１８が投入される。暖房機本体１とリモコン１２とが有線で接続され、通信部７，１７を介して各種情報の送受信が行われる。暖房機本体１はマイコンによる本体側制御部（制御部）３と、各種データの書き込み、消去、記憶が可能な本体側ＥＥＰＲＯＭ（本体側不揮発性メモリ）２を有する。リモコン１２は、マイコンによるリモコン側制御部（制御部）１４と、各種データの書き込み、消去、記憶が可能なリモコン側ＥＥＰＲＯＭ（リモコン側不揮発性メモリ）１３を有する。
【００１１】
リモコン側制御部１４は、リモコン１２の操作部１５で運転モードが設定されると、有線通信により暖房機本体１側へ動作指令を出すと共にＬＥＤや液晶で形成される表示部１６に現在の運転モードを表示させる。本体側制御部３は、例えば、暖房モードが設定された時、リレーにより形成される送風機駆動部４を動作させて送風機８を運転させるとともに、ヒータ駆動部５を動作させてヒータ９を運転させる。暖房機本体１は、温度検知手段６を有し、室内温度やヒータ９の異常温度を検知し、ヒータ９の制御を行う。暖房機本体１の本体側制御部３には、商用電源１８の投入回数を積算する電源投入回数積算手段１０が搭載されている。本体側制御部３は、電源投入回数積算手段１０が積算した電源投入回数積算値を本体側ＥＥＰＲＯＭ２に格納するとともに、リモコン１２側にも情報伝送する。リモコン側制御部１４は、受信した電源投入回数積算値をリモコン側ＥＥＰＲＯＭ１３に格納する。なお、ここで言う電源投入回数とは、暖房機本体１へ商用電源１８が印加され、マイコンに通電された回数を意味し、ヒータ９等の負荷に電源が投入されて負荷が動作する回数を意味するものではない。
【００１２】
本体側制御部３およびリモコン側制御部１４は、本体側ＥＥＰＲＯＭ２およびリモコン側ＥＥＰＲＯＭ１３に格納された電源投入回数積算値を比較し、差異がある場合には、小さい値を示す電源投入回数積算値を大きい値を示す電源投入回数積算値に書き換える。例えば、本体側ＥＥＰＲＯＭ２に格納されている電源投入回数積算値が、リモコン側ＥＥＰＲＯＭ１３に格納されている電源投入回数積算値よりも小さい場合には、本体側制御部３が、本体側ＥＥＰＲＯＭ２に格納されている電源投入回数積算値を、リモコン側ＥＥＰＲＯＭ１３に格納されている電源投入回数積算値に書き換える。一方、リモコン側ＥＥＰＲＯＭ１３に格納されている電源投入回数積算値のほうが小さい場合には、リモコン側制御部１４が、リモコン側ＥＥＰＲＯＭ１３に格納されている電源投入積算値を書き換える。また、リモコン側制御部１４は、電源投入積算値が３６５０回以上となっているか否かも判定し、３６５０回以上となっている場合には、リモコン上に機器の点検警告表示をさせる。例えば、表示部１６に「点検を行ってください」といった表示を行わせる。
【００１３】
図２は、本実施の形態１に係る暖房機ユニット５０の動作を説明するフローチャートである。暖房機本体１に商用電源１８が投入されると、マイコンが起動し、電源投入回数積算手段１０が電源投入回数を１回カウントし、電源投入回数積算値が本体側ＥＥＰＲＯＭ２およびリモコン側ＥＥＰＲＯＭ１３に格納される（ステップＳ１）。時間計測に用いるベースタイマーは、発振子によるクロックや、電源周波数を検知して生成する方法がある。マイコンのイニシャル処理完了後、リモコン１２と暖房機本体１の通信が開始され、リモコン側ＥＥＰＲＯＭ１３のデータが暖房機本体１に送信される（ステップＳ２）。次に本体側ＥＥＰＲＯＭ２のデータがリモコン１２に送信される（ステップＳ３）。本体側制御部３およびリモコン側制御部１４は、本体側ＥＥＰＲＯＭ２およびリモコン側ＥＥＰＲＯＭ１３に格納された電源投入回数積算値を比較し（ステップＳ４）、差異がある場合には（ステップＳ５）、小さい値を示す電源投入回数積算値を大きい値を示す電源投入回数積算値に書き換える（ステップＳ６）。両電源投入回数積算値が同じであった場合（ステップＳ５）、または、データの書き換えが行われた場合（ステップＳ６）、その後に、電源投入回数が３６５０回となっているか否かも判定される（ステップＳ７）。電源投入回数が規定値に到達した場合はリモコン上に機器の点検警告表示がなされる（ステップＳ８）。
【００１４】
このように電源投入回数を管理することで、省エネ等の観点から毎回元電源を遮断して使用するユーザに対しても確実に機器の点検時期を促すことができる。また、電源投入時に電源投入回数がカウントされるので、電源の投入後すぐに遮断された場合であっても電源投入回数を適切に記録することができる。また、本体側ＥＥＰＲＯＭ２に格納された電源投入回数積算値と、リモコン側ＥＥＰＲＯＭ１３に格納された電源投入回数積算値との比較結果に基づいてデータの書き換えが行われ、しかも、より大きい値を示す電源投入回数積算値に書き換えられるので、何らかのエラーにより一方の電源投入回数積算値が小さくなってしまった場合や、一方の基板が交換されてそちらのデータが喪失されてしまった場合であっても、点検警告表示を行う時期が遅れてしまうことを防ぐことができる。
【００１５】
なお、本システムではメイン基板に商用電源が入力され、通電時間計測タイマーの生成や負荷開閉はメイン基板側で処理されるため、通電時間の積算及び負荷開閉回数カウントはメイン基板に搭載するマイコンのソフトウェアで制御する。
【００１６】
実施の形態２．
図３は、本発明の実施の形態２に係る暖房機ユニット６０の概略構成を示すブロック図である。上記実施の形態１と同様の構成部分には同一の符号を付し、重複する説明を省略する。本実施の形態２では、暖房機本体１への通電時間を電源投入時から積算する機器通電時間積算手段１１を本体側制御部３に備え、機器に通電された時間をカウントする。
【００１７】
図４は、本実施の形態２に係る暖房機ユニット６０の動作を説明するフローチャートである。機器通電時間積算手段１１は、機器通電時間を積算する（ステップＳ１２）。そして、機器通電時間が８７６００時間以上となっているか否かの判定もなされ、電源投入回数、機器通電時間のいずれかが規定値以上であれば（ステップ１８）リモコン１２上に点検警告表示がなされる（ステップ１９）。それ以外のフローは図２と同じため説明を省略する。このように電源投入回数のみならず機器通電時間も管理して点検警告することで、機器の寿命推定精度向上が図れるとともに、より機器の安全性を高めることができる。
【００１８】
実施の形態３．
図５は、本発明の実施の形態３に係る暖房機ユニット７０の概略構成を示すブロック図である。上記実施の形態１または２と同様の構成部分には同一の符号を付し、重複する説明を省略する。本実施の形態３では、ヒータ９を駆動させるために通電された時間を積算するヒータ通電時間積算手段１９を本体側制御部３に備え、ヒータ９に通電された時間をカウントする。
【００１９】
図６は、本実施の形態３に係る暖房機ユニット７０の動作を説明するフローチャートである。ヒータ通電時間積算手段１９は、ヒータ９の通電時間を積算する（ステップＳ２３）。そして、ヒータ通電時間が２２０００時間以上経過したか否かも判定され、機器通電時間、電源投入回数、ヒータ通電時間のいずれかが規定値以上であれば（ステップ２９）リモコン１２上に点検警告表示がなされる（ステップ３０）。それ以外のフローは図４と同じため説明を省略する。このように機器通電時間のみならずヒータ通電時間も管理して点検警告することで、より機器の安全性を高めることができる。
【００２０】
実施の形態４．
図７は、本発明の実施の形態４に係る暖房機ユニット８０の概略構成を示すブロック図である。上記実施の形態１〜３と同様の構成部分には同一の符号を付し、重複する説明を省略する。本実施の形態４では、ヒータ９の動作回数を積算するヒータ動作回数積算手段２０を本体側制御部３に備え、ヒータが動作した回数すなわちヒータ駆動部５の動作回数をカウントする。
【００２１】
図８は、本実施の形態４に係る暖房機ユニット８０の動作を説明するフローチャートである。ヒータ動作回数積算手段２０は、ヒータ９の動作回数を積算する（ステップ３４）。そして、ヒータ動作回数が６６０００回に達したか否かも判定され、機器通電時間、電源投入回数、ヒータ通電時間、ヒータ動作回数のいずれかが規定値以上であれば（ステップＳ４０）リモコン１２上に点検警告表示がなされる（ステップＳ４１）。それ以外のフローは図６と同じため説明を省略する。このようにヒータ動作回数も管理することで、ヒータ駆動用リレーの寿命を事前に予測、点検することができ、機器の安全性を更に高めることができる。
【００２２】
実施の形態５．
図９は、本発明の実施の形態５に係る暖房機ユニット９０の概略構成を示すブロック図である。上記実施の形態１〜４と同様の構成部分には同一の符号を付し、重複する説明を省略する。本実施の形態５では、積算した各データを任意にリセットするための積算データリセット手段２１をリモコン側制御部１４内に設ける。
【００２３】
図１０は、本実施の形態５に係る暖房機ユニット９０の動作を説明するフローチャートである。機器通電時間、電源投入回数、ヒータ通電時間、ヒータ動作回数のいずれかが規定値に到達し、機器の点検を行った後に機器の運転を再開させるときに、サービスマンが各種データをリセットすることができる（ステップＳ６２）。データリセットはユーザが容易に操作できないよう、リモコン操作キーの多重押し等の特殊操作のみで行えるようにしておく。このように、各種ＥＥＰＲＯＭに格納されたデータのリセットを可能にしておくことで、点検完了後必要な部品のみ交換して運転を再開させることができる。
【００２４】
実施の形態６．
図１１は、本発明の実施の形態６に係る暖房機ユニット１００の概略構成を示すブロック図である。上記実施の形態１〜５と同様の構成部分には同一の符号を付し、重複する説明を省略する。本実施の形態６では、リモコン側制御部１４にデータ入力手段２２を搭載し、機器通電時間、電源投入回数、ヒータ通電時間、ヒータ動作回数の各種情報に対し、サービスマンが任意に積算値を入力できるようにする。
【００２５】
図１２は、本実施の形態６に係る暖房機ユニット１００の動作を説明するフローチャートである。図１２のステップＳ７１〜Ｓ７３およびステップＳ８５は、サービスマンが手動で行う操作内容を示し、それ以外のフローは制御回路が自動で行うシーケンスを示す。市場において、何らかの故障で暖房機本体１のメイン基板とリモコン１２のメイン基板の双方が同時交換される場合も想定される。機器通電時間等の各種情報が格納されているＥＥＰＲＯＭ２，１３は、メイン基板に搭載されているため、両方のメイン基板が同時に交換されることで、これまで積算してきた時間や負荷開閉回数の各種情報が喪失され、ユーザへの点検警告が的確な時期にできなくなる場合がある。そのような問題に対処するよう、本実施の形態６では、暖房機本体１のメイン基板とリモコン１２のメイン基板に同時交換の必要が生じた場合（ステップＳ７１）、既存のメイン基板に搭載されたＥＥＰＲＯＭ内のデータをリモコン上にて確認し（ステップＳ７２）、新基板に交換後、時間や負荷開閉回数の各種情報を、新基板に搭載されたＥＥＰＲＯＭにリモコン１２から入力する（ステップＳ７３）。
【００２６】
このように各種データをリモコンから任意に入力することができるようにしておくことで、暖房機本体１のメイン基板とリモコン１２のメイン基板を同時交換する必要が生じた場合も、交換後の新基板に搭載されたＥＥＰＲＯＭに、交換前の基板に搭載されたＥＥＰＲＯＭが保持するデータを任意に入力することができ、過去のデータを喪失することなく継続して運転することができる。なお、機器通電時間、電源投入回数、ヒータ通電時間、ヒータ動作回数の各情報に対し、点検警告表示させるための情報をユーザが自由に選択でき、かつ各データの規定値を任意に設定できるようにすることで、機器の使用条件に合わせて点検警告表示することが可能となる。
【産業上の利用可能性】
【００２７】
以上のように、この発明に係る暖房機ユニットは、機器通電時間等の各種情報に基づいて点検警告を行う暖房機ユニットに用いられるのに適している。
【図面の簡単な説明】
【００２８】
【図１】実施の形態１に係る暖房機ユニットの概略構成を示すブロック図である。
【図２】実施の形態１に係る暖房機ユニットの動作を説明するフローチャートである。
【図３】実施の形態２に係る暖房機ユニットの概略構成を示すブロック図である。
【図４】実施の形態２に係る暖房機ユニットの動作を説明するフローチャートである。
【図５】実施の形態３に係る暖房機ユニットの概略構成を示すブロック図である。
【図６】実施の形態３に係る暖房機ユニットの動作を説明するフローチャートである。
【図７】実施の形態４に係る暖房機ユニットの概略構成を示すブロック図である。
【図８】実施の形態４に係る暖房機ユニットの動作を説明するフローチャートである。
【図９】実施の形態５に係る暖房機ユニットの概略構成を示すブロック図である。
【図１０】実施の形態５に係る暖房機ユニットの動作を説明するフローチャートである。
【図１１】実施の形態６に係る暖房機ユニットの概略構成を示すブロック図である。
【図１２】実施の形態６に係る暖房機ユニットの動作を説明するフローチャートである。
【符号の説明】
【００２９】
１  暖房機本体
２  本体側ＥＥＰＲＯＭ（本体側不揮発性メモリ）
３  本体側制御部（制御部）
４  送風機駆動部
５  ヒータ駆動部
６  温度検知手段
７  通信部
８  送風機
９  ヒータ
１０  電源投入回数積算手段
１１  機器通電時間積算手段
１２  リモコン
１３  リモコン側ＥＥＰＲＯＭ（リモコン側不揮発性メモリ）
１４  リモコン側制御部（制御部）
１５  操作部
１６  表示部
１７  通信部
１８  商用電源
１９  ヒータ通電時間積算手段
２０  ヒータ動作回数積算手段
５０，６０，７０，８０，９０，１００  暖房機ユニット
【図１】
2010117070.tif 000003
【図２】
2010117070.tif 000004
【図３】
2010117070.tif 000005
【図４】
2010117070.tif 000006
【図５】
2010117070.tif 000007
【図６】
2010117070.tif 000008
【図７】
2010117070.tif 000009
【図８】
2010117070.tif 000010
【図９】
2010117070.tif 000011
【図１０】
2010117070.tif 000012
【図１１】
2010117070.tif 000013
【図１２】
2010117070.tif 000014